(57)【要約】      （修正有）【課題】キッチン内で煮炊するとき、発生を予期される、焦げつき、火事の被害、危険をもたらすのを防止する指リングを提供する。【解決手段】下地が白色に吹きつけられた、ステンレス製板を、Ｔ字型に切り取り、横棒の左右両先端を、次第に細く尖らせて、折り返した指リングを設け、指リングの左右両先端の間に、すき間（切れ目）を設け、すき間は伸縮可能にし、指の太さに合せて、指にはめ込むための、調節ができるようにする。且つ指リングの外側の面続きの、一本足の縦棒（楕円形板）の表面上に鮮明に赤色で、火（Ｆｉｒｅ）の文字を信号表示して、キッチン指リングを、はめ込んだ、本人が、目につきやすく、気がつくようにすることで、焦げつき、火事よけの防止に役立つ。【選択図】図１
0003144322.tif 000002
【実用新案登録請求の範囲】
【請求項１】
下地が白色に吹きつけられた、ステンレス製板をＴ字型に切り取り、横棒の両先端を次第に細く尖らせて、折り返した指リングを設け、横棒の左右両先端の間に、すき間（切れ目）を設け、すき間は伸縮可能にし、指の太さに合せて、指にはめ込むための調節ができるようにし、且つ指リングの外側の面続きの一本足の縦棒（楕円形板）の表面上に、鮮明に赤色で、火（Ｆｉｒｅ）の文字を信号表示することを特徴とする。焦げつき、火事よけの注意を呼び起す信号表示板つき、キッチン指リング。
【考案の詳細な説明】
【技術分野】
【０００１】  本考案は、下地が白色に吹きつけられた、ステンレス製板をＴ字型に切り取り、横棒の両端を折り返して、指リングを設け、その指リングの外側の面続きの一本足の縦棒（楕円形板）の表面上に赤色で鮮明に火（Ｆｉｒｅ）の文字を信号表示して、焦げつき、火事よけの注意を呼び起す、信号表示板つき、キッチン指リングに関するものである。
【背景技術】
【０００２】  主婦は家事が多く、多忙であり、キッチン内で煮炊している場合でも、掃除洗濯、子供の世話、近所の人や、友人との交流等があるが、常にキッチン内の危険を考えて、キッチンから出来るだけ離れずに行動する方法がとられている。キッチンの壁には耐火煉瓦や耐火性の板材が使用され、また不時に備えて、消化器を、キッチンの近くに設置する方法などがとられていた。
【考案の開示】
【考案が解決しようとする課題】
【０００３】  キッチン内から、あまり離れずに、行動することを考えても、予期していない隣人や友人、其の他訪問者がある場合、キッチン内から離れる必要があり、また、玄関先での会話が長くなったり、テレビの中の一こまを、のぞいたり、老い故、ど忘れして、キッチン内の事を忘れ、時々トラブルになることがあった。従って、キッチン内の作業を始める前に、上記の指リングを、指にはめ込んで、目の前で、赤色の火（Ｆｉｒｅ）の文字、信号表示を見つめることが可能になり、常に注意を呼び起こして、前述の欠点を解決しようとするものである。
【課題を解決するための手段】
【０００４】  本考案は下地が白色に吹きつけられた、厚さ、約０．７ｍｍのステンレス製板を、Ｔ字型に、横棒幅１３ｍｍ、横棒長さ５７ｍｍ、縦棒幅２０ｍｍ、縦棒の長さ（横棒の幅の長さ含む）５０ｍｍに切り取り、横棒の左右先端を次第に細く尖らせ、折り返した、指リングを設け、横棒の左右両先端の間にすき間（切れ目）を設け、すき間は伸縮可能にし、指の太さに合せて、指にはめ込むための、調節ができるようにする、且つ指リングの外側の面続きの、一本足縦棒（楕円形板）の表面上に、鮮明に、赤色で、火（Ｆｉｒｅ）の文字を信号表示して、キッチン指リングをはめ込んだ、本人が、目につきやすく、気がつくようにすることで、問題点を解決している。
【考案の効果】
【０００５】  上述のように、本考案の焦げつき、火事よけの注意を呼び起す信号表示板つきキッチン指リングは、白い下地の上に鮮明に赤色で火（Ｆｉｒｅ）の文字を信号表示したので、目につきやすく、気がつくことは勿論、目の前の手の甲に、くっついて、指から離れることがなく、常に注意を促し、しかも手作業のじゃまにならず、多くの出費を必要としないで、簡便に、安全に、家や財産を守りながら、煮炊するのに役立つ。
【考案を実施するための最良の形態】
【０００６】  指リングの外側の面続きの縦棒（楕円形板）底辺を自分の好む。指の表面上部にのせ、手の甲に向けて、ずり下げ、指リングを指に通し、手の甲と、指のつけ根まで、指リングを挿入する。挿入後は、指リングの左右両先端の間のすき間（切れ目）を利用し、指の太さに応じて、指リングの太さのサイズを伸縮させ、調節して、指リングを取はずしできるようにする。また、指リングの外側の面続き縦棒（楕円形板）の白地の上に赤色で火（Ｆｉｒｅ）の文字を鮮明に信号表示して、この指リングを、はめ込んだ本人が、目につきやすく、気がつくようにする。また指リングは、常にキッチン内の定位置におくことを習慣とすることによつて、迅速に、キッチン内の作業に取かかれるし、忘れることなく、キッチン指リングを指に、はめ込んで、災害発生を避けることができる。
【実施例】
【０００７】  以下、添付図面に従って実施例を説明する。１は下地が白色に吹きつけられた、ステンレス製板をＴ字型に切り取って、できた横棒を折り返してつくった、信号表示板付指リング本体。２はその白色に吹きつけられた、スレンレス製板をＴ字型に切り取つて、できた横棒を、折り返してつくった指リング。３は指リングの外側の面続きの、一本足縦棒（楕円形板）からなる、信号表示板。【０００８】  ４、５、６は信号表示板の上に、赤色で鮮明に表示した、焦げつき、火事よけの注意を呼び起す信号文字。なお、楕円形の信号表示板の上に、タイマーを取り付けたり、赤色の文字が、点滅する、発光装置を設けることで、一層注意を呼び起す効果がある。
【符号の説明】
【０００９】  １  信号表示板つき、キッチン指リング本体
２  指リング
３  信号表示板
４  焦げつき、火事よけの注意を呼び起す信号文字
５  焦げつき、火事よけの注意を呼び起す信号文字
６  焦げつき、火事よけの注意を呼び起す信号文字
【図１】
0003144322.tif 000003
【図２】
0003144322.tif 000004
【手続補正書】
【提出日】平成20年5月9日(2008.5.9)
【手続補正１】
【補正対象書類名】実用新案登録請求の範囲
【補正対象項目名】全文
【補正方法】変更
【補正の内容】
【実用新案登録請求の範囲】
【請求項１】
白色のステンレス製板から、一定の幅で横に細長い横棒板を設け、その横に細長い左右両端を次第に尖らせ、折り返した指リングを設け、伸縮可能にするとともに横棒板の左右間中央部より、横棒板に垂直に下方に延長した縦棒板を設け、縦棒板の表面上に、赤色で鮮明に、火の文字を信号表示することを特徴とする焦げつき、火事よけの注意を呼び起こす信号表示板つきキッチン指リング。
【手続補正２】
【補正対象書類名】明細書
【補正対象項目名】全文
【補正方法】変更
【補正の内容】
【考案の詳細な説明】
【技術分野】
【０００１】本考案は、下地が白色に吹きつけられた、ステンレス製板をＴ字型に切り取り、横棒の両端を折り返して、指リングを設け、その指リングの外側の面続きの一本足の縦棒（楕円形板）の表面上に赤色で鮮明に火（Ｆｉｒｅ）の文字を信号表示して、焦げつき、火事よけの注意を呼び起す、信号表示板つき、キッチン指リングに関するものである。
【背景技術】
【０００２】主婦は家事が多く、多忙であり、キッチン内で煮炊している場合でも、掃除洗濯、子供の世話、近所の人や、友人との交流等があるが、常にキッチン内の危険を考えて、キッチンから出来るだけ離れずに行動する方法がとられている。キッチンの壁には耐火煉瓦や耐火性の板材が使用され、また、不時に備えて、消火器をキッチンの近くに設置する方法などがとられていた。
【考案の開示】
【考案が解決しようとする課題】
【０００３】キッチン内から、あまり離れずに、行動することを考えても、予期していない隣人や友人、其の他訪問者がある場合、キッチン内から離れる必要があり、また、玄関先での会話が長くなったり、テレビの中の一こまを、のぞいたり、老い故、ど忘れして、キッチンの事を忘れ、時々トラブルになることがあった。従って、キッチン内の作業を始める前に、上記の指リングを、指にはめ込んで、目の前で、赤色の火（Ｆｉｒｅ）の文字、信号表示を見つめることが可能になり、常に注意を呼び起して、前述の欠点を解決しようとするものである。
【課題を解決するための手段】
【０００４】本考案は下地が白色に吹きつけられた、厚さ約０．７ｍｍのステンレス製板を、Ｔ字型に、横棒幅１３ｍｍ、横棒長さ５７ｍｍ、縦棒幅２０ｍｍ、縦棒の長さ（横棒の幅の長さ含む）５０ｍｍに切り取り、横棒の左右先端を次第に細く尖らせ、折り返した、指リングを設け、横棒の左右両先端の間にすき間（切れ目）を儲け、すき間は伸縮可能にし、指の太さに合わせて、指にはめ込むための、調節ができるようにする。且つ指リングの外側の面続きの、一本足縦棒（楕円形状）の表面上に、鮮明に、赤色で、火（Ｆｉｒｅ）の文字を信号表示して、キッチン指リングをはめ込んだ、本人が、目につきやすく、気がつくようにすることで、問題点を解決している。
【考案の効果】
【０００５】  上述のように、本考案の焦げつき、火事よけの注意を呼び起す信号表示板つきキッチン指リングは、白い下地の上に鮮明に赤色で火（Ｆｉｒｅ）の文字を信号表示したので、目につきやすく、気がつくことは匆論、目の前の手の甲に、くっついて、指から離れることがなく、常に注意を促し、しかも手作業のじゃまにならず、多くの出費を必要としないで、簡便に、安全に、家や財産を守りながら、煮炊きするのに役立つ。
【考案を実施するための最良の形態】
【０００６】  指リングの外側の面続きの縦棒（楕円形板）底辺を自分の好む、指の表面上部にのせ、手の甲に向けて、ずり下げ、指リングを指に通し、手の甲と、指のつけ根まで、指リングを挿入する。挿入後は、指リングの左右両先端の間のすき間（切れ目）を利用し、指の太さに応じて、指リングの太さのサイズを伸縮させ、調節して、指リングを取りはずしできるようにする。また、指リングの外側の面続き縦棒（楕円形板）の白地の上に赤色で火（Ｆｉｒｅ）の文字を鮮明に信号表示して、この指リングを、はめ込んだ本人が、目につきやすく、気がつくようにする。また指リングは、常にキッチン内の定位置におくことを習慣とすることによって、迅速に、キッチン内の作業に取りかかれるし、忘れることなく、キッチン指リングを指に、はめ込んで、災害発生を避けることができる。
【実施例】
【０００７】  以下、添付図面に従って実施例を説明する。１は下地が白色に吹きつけられた、ステンレス製板をＴ字型に切り取って、できた横棒を折り返してつくった。信号表示板付指リング本体。２はその白色に吹きつけられた、ステンレス製板をＴ字型に切り取って、できた横棒を、折り返してつくった指リング。３は指リングの外側の面続きの、一本足縦棒（楕円形板）からなる、信号表示板。【０００８】４，５，６は信号表示板の上に、赤色で鮮明に表示した、焦げつき、火事よけの注意を呼び起す信号文字。なお、楕円形の信号表示板の上に、タイマーを取り付けたり、赤色の文字が点滅する発光装置を設けることで一層注意を呼び起す効果がある。
【図面の簡単な説明】
【０００９】
【図１】本考案の正面図。
【図２】本考案の背面図。
【符号の説明】
【００１０】１  信号表示板つきキッチン指リング本体
２  指リング
３  信号表示板
４  焦げつき、火事よけの注意を呼び起す信号文字
５  焦げつき、火事よけの注意を呼び起す信号文字
【手続補正３】
【補正対象書類名】図面
【補正対象項目名】図２
【補正方法】変更
【補正の内容】
【図２】
0003144322.tif 000005